(57)【要約】【課題】排水など有機塩素化合物を含有する検体を減容化することができ、排水中に含まれる有機塩素化合物を迅速に分離、回収できるとともに、不要排水を迅速に処理することができる、有機塩素化合物の分離方法及び分離システムを提供する。【解決手段】疎水性有機塩素化合物を含有する排水を水層と油層に分離する分離手段と、分離された水層から疎水性有機塩素化合物を除去する浄水手段と、浄化水を検査する検水手段と、を備えた有機塩素化合物の分離システムとする。排水中に含まれる疎水性有機塩素化合物を分離するに際し、中空糸膜を用いる。【選択図】  図１
2004321950.tif 000002
【特許請求の範囲】
【請求項１】
疎水性有機塩素化合物を含有する排水から疎水性有機塩素化合物を分離する分離システムであって、前記排水を水層と油層に分離する分離手段と、分離された水層から疎水性有機塩素化合物を除去する浄水手段と、浄化水を検査する検水手段と、を備えたことを特徴とする有機塩素化合物の分離システム。
【請求項２】
前記浄水手段が前記分離手段の前段に配置されている請求項１に記載の有機塩素化合物の分離システム。
【請求項３】
前記検水手段で所定の基準を満たさない水を浄水手段に返送する返送手段、を備えた請求項１又は２に記載の有機塩素化合物の分離システム。
【請求項４】
さらに、前記分離手段の前流又は後流に、前記排水中の疎水性有機塩素化合物を吸着剤により選択的に吸着除去する吸着手段を備えた請求項１〜３のいずれか１項に記載の有機塩素化合物の分離システム。
【請求項５】
さらに、前記分離手段の後流に、分離された油層から水分を除去して油層を濃縮する濃縮手段を備えた請求項１〜４のいずれか１項に記載の有機塩素化合物の分離システム。
【請求項６】
前記分離手段の前流に、前処理手段を備えた請求項１〜５のいずれか１項に記載の有機塩素化合物の分離システム。
【請求項７】
前記前処理手段の前流、又は前記分離手段、浄水手段、検水手段、返送手段、吸着手段及び濃縮手段から選ばれる少なくとも一つの手段の前流に、それ以降の装置、配管類を洗浄するための洗浄手段を備えた請求項１〜６のいずれか１項に記載の有機塩素化合物の分離システム。
【請求項８】
前記浄水手段が、中空糸膜又はゼオライト膜を使用する請求項１〜７のいずれか１項に記載の有機塩素化合物の分離システム。
【請求項９】
前記吸着手段における吸着剤が、ゼオライト又はメソポーラスシリケートである請求項１〜８のいずれか１項に記載の有機塩素化合物の分離システム。
【請求項１０】
疎水性有機塩素化合物を含有する排水から疎水性有機塩素化合物を分離するに際し、中空糸膜を用いることを特徴とする有機塩素化合物の分離方法。
【請求項１１】
前記中空糸膜を、前記疎水性有機塩素化合物を含有する排水を油水分離してなる水層又は油層中からの当該疎水性有機塩素化合物の分離に用いる、請求項１０に記載の有機塩素化合物の分離方法。
【発明の詳細な説明】
【０００１】
【発明の属する技術分野】
本発明は、排水中の有機塩素化合物を分離する方法及びシステムに関する。
【０００２】
【従来の技術】
各種有機塩素化合物のなかでも、ポリ塩化ビフェニル（ＰＣＢ）は人体を含む生体に極めて有害であることから、１９７３年に特定化学物質に指定され、その製造、輸入、使用が禁止されている。ＰＣＢはビフェニル骨格に塩素が１〜１０個置換したものであり、置換塩素の数や位置によって理論的に２０９種類の異性体が存在し、市販品において１００を越える異性体が確認されている。ＰＣＢは、残留性有機汚染物質の一つであって、環境中で分解されにくく、油溶性で生物濃縮率が高く、さらに半揮発性で大気経由の移動が可能であるという性質を持つ。また、水や生物など環境中に広く残留することが知られている。
【０００３】
しかしながら、ＰＣＢを迅速に分離、処理する方法がないため、ＰＣＢを含有する全ての検体を回収する必要があり、例えば低濃度の大量の検体を回収、保管する必要があった。また、固体や水中にＰＣＢが含まれる場合は、前処理が煩雑であったり、ソックスレー抽出などで有機溶媒層へＰＣＢを移行させる必要があった。したがって、ＰＣＢを含む検体の全量を回収する必要があるため、時として大量の検体が発生し、保管、取扱いが問題になっていた。また、ソックスレー抽出操作は処理に時間がかかる等の問題もあった。
【０００４】
有機塩素化合物を含む排水を効率的に処理する方法として、例えば特開２００３−１０８６７号公報には、塩類とダイオキシン類やＰＣＢ類などの難分解性化合物とを含有する排水を、前凝集手段→生物処理→第２凝集手段→砂濾過→活性炭吸着処理した後、逆浸透膜処理して透過液と濃縮液とに分離し、濃縮液中の難分解性化合物を吸着酸化分解処理し、次いで脱塩処理する方法が提案されている。しかしながら、前処理手段が煩雑である等の問題点がある。
【０００５】
また、特開２０００−２４４７３号公報には、疎水性有機化合物を含む水溶液から、疎水性有機化合物を選択的に分離するに際し、透水性能が一定範囲にあるセルロース膜を用いることにより、低圧力で選択的に疎水性有機化合物を分離できることが開示されているが、疎水性物質の阻止率は最高でも９５％に過ぎず、阻止できなかった物質の処理方法についても言及されていない。
【０００６】
【特許文献１】
特開２００３−１０８６７号公報（請求項１、段落番号００２４等）
【特許文献２】
特開２０００−２４４７３号公報（請求項、段落番号００２７等）
【０００７】
【発明が解決しようとする課題】
本発明は、前記従来の課題に鑑みてなされたものであり、有機塩素化合物を含有する検体を減容化することができ、排水中に含まれる有機塩素化合物を迅速に分離、回収できるとともに、不要排水を迅速に処理することができる、有機塩素化合物の分離方法及び分離システムを提供することを目的とする。
【０００８】
【課題を解決するための手段】
前記課題を解決するため、本発明者らは鋭意検討した結果、排水から有機塩素化合物を含有する油層を分離して該油層の濃縮処理を行った後に、有機塩素化合物の除去、回収を行えば、検体の減容化と有機塩素化合物の迅速な分離、回収が可能になるとの知見を得、本発明に至った。
【０００９】
すなわち、本発明の有機塩素化合物の分離システムは、疎水性有機塩素化合物を含有する排水から疎水性有機塩素化合物を分離する分離システムであって、前記排水を水層と油層に分離する分離手段と、分離された水層から疎水性有機塩素化合物を除去する浄水手段と、浄化水を検査する検水手段と、を備えたことを特徴とする。
【００１０】
前記の分離システムは、前記浄水手段が前記分離手段の前段に配置されていてもよい。
【００１１】
前記の分離システムは、前記検水手段で所定の基準を満たさない水を浄水手段に返送する返送手段を備えていてもよい。
【００１２】
前記の分離システムは、さらに、前記分離手段の前流又は後流に、前記排水中の疎水性有機塩素化合物を吸着剤により選択的に吸着除去する吸着手段を備えることが好ましい。また、さらに、前記分離手段の後流に、分離された油層から水分を除去して油層を濃縮する濃縮手段を備えていてもよい。
【００１３】
前記の分離システムは、前記分離手段の前流に、前処理手段を備えていてもよい。さらに、前記前処理手段の前流、又は前記分離手段、浄水手段、検水手段、返送手段、吸着手段及び濃縮手段から選ばれる少なくとも一つの手段の前流に、それ以降の装置、配管類を洗浄するための洗浄手段を備えていてもよい。
【００１４】
本発明の有機塩素化合物の分離システムにおいては、前記浄水手段が、中空糸膜又はゼオライト膜を使用することが好ましく、前記吸着手段における吸着剤が、ゼオライト又はメソポーラスシリケートであることが好ましい。
【００１５】
次に、本発明の有機塩素化合物の分離方法は、疎水性有機塩素化合物を含有する排水から疎水性有機塩素化合物を分離するに際し、中空糸膜を用いることを特徴とする。
【００１６】
前記の分離方法においては、前記中空糸膜を、前記疎水性有機塩素化合物を含有する排水を油水分離してなる水層又は油層中からの当該疎水性有機塩素化合物の分離に際し、用いてもよい。
【００１７】
【発明の実施の形態】
本発明による有機塩素化合物の分離システムは、疎水性有機塩素化合物を含有する排水から疎水性有機塩素化合物を分離するものである。図１には、本発明の分離システムの一例を示した。
【００１８】
本発明において、疎水性有機塩素化合物を含有する排水としては、例えば、河川水、井戸水、地下道水、地下浸出水、湖沼水、排水等を挙げることができる。分離対象となる疎水性有機塩素化合物は、水に対する溶解度が１質量％以下のものであり、例えば、ポリ塩化ビフェニル（ＰＣＢ）、ダイオキシン類、クロルベンゼン類等を挙げることができる。以下、疎水性有機塩素化合物を有機塩素化合物と称する。
【００１９】
以下、図１を参照しつつ本発明を説明する。
【００２０】
本発明による有機塩素化合物の分離システムは、排水を水層と油層に分離する分離手段２と、分離された水層から微溶解した有機塩素化合物を除去する浄水手段３と、浄化した水を検水する検水手段４と、を必須構成要素とする。排水中に含まれる有機塩素化合物は、水に対する溶解度が低いため、そのほぼ全量が油層中に存在する可能性が高い。そのため、分離手段を施して水層と油層を分離することによって、検体量を大幅に減容することが可能となる。本構成によれば、微量の有機塩素化合物を含む排水でも、簡単な操作で所定の排水基準値以下にして放水することが可能となる。排水基準値を満たさない水は、ポンプ等の返送手段１１により浄水手段３に返送し、再度浄水処理を施すことで、放水が可能となる。また、放水可能となった水は、油水分離以降の装置、配管の洗浄に用いることができる。
【００２１】
本発明の有機塩素化合物の分離システムは、図示していないが、前記浄水手段が前記分離手段の前段に配置されていてもよい。浄水手段３により排水中に含まれる有機塩素化合物を除去し、分離手段２により有機塩素化合物を除去した排水を水層と油層に分離した後、検水手段４で検水し、放水する。
【００２２】
また、本発明による有機塩素化合物の分離システムは、油層から有機塩素化合物を吸着剤により選択的に吸着除去する吸着手段６を具備する。図１では分離手段の後流に吸着手段を設けているが、吸着手段は分離手段の前流に設けてもよい。これにより有機塩素化合物を吸着除去することができる。吸着剤によって吸着分離された有機塩素化合物は、さらに回収手段により回収、処理される。吸着手段の実施に際し、その前流に、分離手段２によって分離された油層から水分を除去して油層を濃縮する濃縮手段５を備えることもできる。分離手段によって水層と油層を分離した後、油層に含まれる水分を除去し（透過した水は送液手段１４により検水手段４の前流側に合流させる）油層を濃縮することにより、更に検体量を減容することが可能となるからである。濃縮手段５は任意であり、設けても設けなくてもよい。
【００２３】
一方、吸着手段６において吸着剤に吸着されない油（低分子油、高分子油）は、容易に回収することができる。回収された油は、送液手段１２を介して有機塩素化合物で汚染された排水受入口以降の装置などの洗浄に用いることができる。また、検査工程で所定の基準値を満たさない油は、返送手段１５により再度、吸着手段６に返送することで、油中の有機塩素化合物が減少する。
【００２４】
分離手段２によって分離された水層には、若干量の有機塩素化合物や鉱油が混入する可能性があるが、水層中に含まれるこれらの油性物質を除去し、浄水することによって、排水基準値をクリアーする水が得られる。また、浄水手段３で分離された有機塩素化合物や鉱油等の油分は、送液手段１３を介して濃縮手段５に合流させることで、廃棄することなく回収できる。反対に、濃縮手段５で透過した透過水は、検水手段に合流させ、検水手段４で所定の排水基準値をクリアーしているか否かを検査した後、問題なければ処理水として放水される。検水手段を設けることにより、浄化された水が所定の排水基準値をクリアーするか否かを検査することができるので、検査の結果不合格の場合は再度浄水手段を施し、有機塩素化合物を吸着除去することができる。
【００２５】
次に、本発明の分離システムを更に詳細に説明する。
【００２６】
（前処理手段）
前処理手段１は、例えば排水に大量のゴミを含む場合、浮遊ゴミ等の除去目的で行われる。前処理手段は、前記目的を達成可能な方法であれば特に限定されないが、例えば、金網、布等のプレフィルタ、除塵スクリーン、沈砂槽、遠心分離等を挙げることができる。
【００２７】
（分離手段）
分離手段２は、排水を水層と油層に分離し、主に検体の減容化を図る目的で行われる。分離手段は、前記目的を達成可能な方法であれば特に限定されないが、例えば、遠心分離法、比重差による油水分離槽での分離（浮上回収法）、親油性と疎水性の吸着ベルトによる分離、隔膜電解式油水分離法、分離膜を用いた分離法等を挙げることができる。前記した遠心分離処理を行う場合は、遠心条件は特に限定されないが、遠心力が強すぎると有機塩素化合物が水層に移行するおそれがあるため、油層に水が僅かに混入する程度に遠心処理を施すことが好ましい。
【００２８】
（浄水手段）
浄水手段３は、水層中に含まれる有機塩素化合物や鉱油等の油性物質を除去する目的で行われる。浄水手段は、前記目的を達成可能な方法であれば特に限定されないが、例えば、分離膜、親油性ベルト、親油性吸着材を使用する方法等を挙げることができる。浄水処理においては、油分を僅かに含む水層を、例えば中空糸膜あるいは分子篩ゼオライト膜に通し、水のみを透過させ、有機塩素化合物および鉱油等の油性物質は不透過とする。透過した水は、検水手段を施し、有機塩素化合物が含有されていないことを確認した後、処理水として放水する。一方、有機塩素化合物、鉱油等の油性物質は、濃縮手段５に合流させた後、後述する処理を施して有機塩素化合物を回収してもよい。
【００２９】
上記の分離膜の形状としては、例えば、シート状、ひも状、短冊状、中空糸状等が挙げられる。迅速化の観点からは接触面を広くとれる中空糸状が好ましい。中空糸膜モジュールを作製して用いてもよい。原液は中空糸膜の外側、及び中空糸膜の内側のいずれに通してもよいが、外側に通すのがメンテナンスが容易なことからより好ましい。中空糸膜の壁面の微細孔は、水分子を充分通過させ、かつ油性物質より小さい平均孔径を有するものが好ましく、油の粒子径（０．１〜数μｍ）の１００分の１以下が好ましく、膜の種類としてはＮＦ膜（ナノ濾過膜）、ＲＯ膜（逆浸透膜）が好ましい。
【００３０】
中空糸膜を形成する材料は、特に限定されないが、高分子系であれば、例えば、ポリスルホン系、ポリオレフィン系、フッ素系、ポリエステル系、ポリビニルアセタール系、ポリビニルアルコール系、ポリアミド系、ポリイミド系、ポリウレタン系、ポリアクリル系、ポリスチレン系、ポリケトン系、シリコーン系、ポリ乳酸系、セルロース系及びキトサン系樹脂や、シクロデキストリン固定化ポリマー等を挙げることができる。なかでも、動作圧力が低く、バクテリアアタックが少ないという観点から、架橋ポリアミド系が好ましい。
【００３１】
また、無機系の分離膜としては、例えばゼオライト膜（Ｌｉ−Ａ型）、セラミック膜、炭素膜等を挙げることができる
【００３２】
（検水手段）
検水手段４は、浄化処理を施した水に有機塩素化合物が含有されていないかどうかを検査する目的で行われる。検水手段は、前記目的を達成可能な方法であれば特に限定されないが、例えば、ガスクロマトグラフィー質量分析計を使用する方法（ＧＣ−ＭＳ法）、塩化物定量法、イムノアッセイ法（（株）ジェイエムエス：ＰＣＢ−ＣＯＬＯＲシリーズ）、アズマックス（株）：キットセーフシリーズ）、ＵＶ測定法、電気伝導度測定法等を挙げることができる。望ましくは、連続処理が可能という観点からは、ＵＶ計を使用するのがよい。また、排水中に塩分など伝導度に影響を与えるものがないことが明らかな場合には、電気伝導度計を使用するのがよい。検水手段にて有機物を含有しないことを確認した後、所定の排水処理基準値以下であれば、処理水として放水する。
【００３３】
（濃縮手段）
濃縮手段５は、分離手段２によって分離された油層に含まれる水分を除去し、油層を濃縮して更なる減容化を図る目的で行われる。濃縮手段は、前記目的を達成可能な方法であれば特に限定されないが、例えば、中空糸膜などの分離膜、イオン交換樹脂等の吸水性材料を使用する方法等を挙げることができる。濃縮処理においては、水を僅かに含む油層を、例えば分離膜に通すことで、水のみを透過させ、有機塩素化合物または鉱油等の油性物質は不透過とすることができる。分離膜を透過しない油層を回収することにより、有機塩素化合物を含む検体量を必要最小限に留めることができるほか、濃縮手段の前に既に有機塩素化合物の吸着手段が施されている場合は、本処理によって油と水を効率よく分離することができる。透過した水は、後述する浄水手段を施した水と合流させた後、検水手段を施し、有機塩素化合物が含有されていないことを確認した後、処理水として放水する。
【００３４】
上記の分離膜の形状としては、例えば、シート状、ひも状、短冊状、中空糸状等が挙げられるが、迅速化の観点からは、接触面を広くとれる中空糸状が好ましい。中空糸膜モジュールとして用いてもよい。中空糸膜の壁面の微細孔は、水分子を充分通過させ、かつ油性物質より小さい平均孔径を有するものが好ましく、油の粒子径（０．１〜数μｍ）の１００分の１以下が好ましい。原液は中空糸膜の外側、及び中空糸膜の内側のいずれに通してもよいが、より好ましくは目詰まり防止の観点から内側に加圧して通すのがよい。従って、油層成分が中空糸膜の中を通過することにより、水分だけが除去される。中空糸膜を形成するポリマーは、濃縮手段で用いたものと同様の材料を挙げることができる。なかでも、耐油性、耐薬品性に優れているという観点より、ポリスルホン系の膜が好ましい。
【００３５】
（吸着手段）
吸着手段６は、有機塩素化合物の吸着除去、分離目的で行われる。吸着手段は、前記目的を達成可能な方法であれば特に限定されないが、例えば、有機塩素化合物を選択的に吸着する吸着剤を使用することができる。これにより、有機塩素化合物は吸着剤に吸着され、残りの鉱油等は吸着されずに透過する。この場合、ゼオライト充填カラム或いはゼオライト膜等の吸着剤を使用することにより、極性のない油（鉱油）を分別することもできる。具体的には、嵩の小さい低分子油を透過させ、嵩高い高分子油は不透過とすることができる。また、極性の有る有機塩素化合物は吸着剤に吸着させることができるので、有機塩素化合物含有検体を更に一層減容化することができる。分離された油は、別途有機塩素化合物の検査工程を経て、利用あるいは処理する。基準値を満たさない場合は再度吸着工程へ戻す。
【００３６】
上記の吸着手段で使用する吸着剤としては、有機塩素化合物を選択的に吸着するものであれば、特に制限なく用いることができる。具体例としては、ゼオライト、活性炭、シリカ、メソポーラスシリケート等を挙げることができる。なかでも、ゼオライト、及びメソポーラスシリケートは、有機塩素化合物（特にＰＣＢ類）に対する吸着エネルギーが高い点より好ましい。
【００３７】
前記のゼオライトは、天然ゼオライト、合成ゼオライトのいずれでも良い。なかでも、有機塩素化合物の吸着力に優れる観点より、Ｓｉ／Ａｌ原子比が２．０以下のものが好ましい。該ゼオライトとしては、例えばＡ型ゼオライト、Ｘ型ゼオライト、Ｙ型ゼオライト、チャバサイト系ゼオライト、エリオナイト系ゼオライト、アナルシム系ゼオライト、ギスモンダイン系ゼオライト、ナトロライト系ゼオライト、ポーリンジャイト系ゼオライト、ユガワラライト系ゼオライト等を挙げることができる。ゼオライトのＳｉ／Ａｌ原子比は、より好ましくは１．０〜１．５、さらに好ましくは１．０〜１．２、特に好ましくは１．０〜１．１である。
【００３８】
また、前記のゼオライトに含まれるイオン交換可能なカチオンは特に限定されない。具体的には、例えば、アルカリ金属、アルカリ土類金属、遷移金属、４Ｂ族元素等の各種イオンを挙げることができる。これらのイオンはゼオライト中に１種又は２種以上含まれる。アルカリ金属イオンとしては、例えば、ナトリウムイオン（Ｎａ＋）、カリウムイオン（Ｋ＋）、リチウムイオン（Ｌｉ＋）、ルビジウムイオン（Ｒｂ＋）等が挙げられる。アルカリ土類金属イオンとしては、例えば、カルシウムイオン（Ｃａ２＋）、マグネシウムイオン（Ｍｇ２＋）、ストロンチウムイオン（Ｓｒ２＋）、バリウムイオン（Ｂａ２＋）等が挙げられる。遷移金属イオンとしては、例えば、スカンジウムイオン（Ｓｃ＋）、マンガンイオン（Ｍｎ３＋）、クロムイオン（Ｃｒ３＋）、鉄イオン（Ｆｅ３＋）、コバルトイオン（Ｃｏ３＋）、ニッケルイオン（Ｎｉ２＋）、銅イオン（Ｃｕ＋）、銀イオン（Ａｇ＋、Ａｇ２＋）等が挙げられる。前記カチオンの中でも、有機塩素化合物の吸着力に優れているという観点より、アルカリ金属イオン、アルカリ土類金属イオンが好ましく、特にリチウムイオンが好ましい。
【００３９】
前記したゼオライトの中でも、有機塩素化合物の吸着力に優れているという観点より、Ｘ型ゼオライトが好適であり、特にＬｉ−Ｘ型ゼオライトが好ましい。
【００４０】
なお、吸着剤としてゼオライトを用いる場合は、水分吸着による吸着能の低下を防止するため、脱水されたゼオライトを用いるのが良い。脱水方法は特に限定されるものではなく、加熱処理、減圧処理等の公知の手段を適宜用いれば良い。一般には、２５０〜４００℃で加熱処理するか、またはこれに減圧処理を組み合わせる。
【００４１】
また、吸着剤の形状は特に限定されるものではなく、粒状、ビース状、ペレット状、膜状あるいはハニカム型、格子状型、スパイラル型等の構造の成形体として使用することができる。ゼオライト膜を用いる場合、セルフサポーティング膜、支持体上に製膜された膜のいずれであってもよい。有機塩素化合物を含む油と吸着剤との接触方法も特に限定されないが、粒状、ビーズ状、ペレット状、あるいはハニカム状の吸着剤を用いる場合には、バッチ式の吸着槽内で攪拌して接触させる方法の他、固定床又は流動床で接触させることもできる。また、ハニカム型の成形体を用いる場合には、回転式吸着塔や固定式吸着塔等の従来公知の吸着装置に充填あるいは装着することにより、接触させることもできる。粒状、ビーズ状、ペレット状の吸着剤を用いる場合には、固定式吸着塔等の従来公知の吸着装置に充填あるいは装着することにより、接触させることもできる。
【００４２】
（回収手段）
回収手段は、吸着剤に吸着された有機塩素化合物を脱着させ、回収する目的で行われる。回収手段は、前記目的を達成可能な方法であれば特に限定されないが、例えば、アルコール類等の溶離剤を用いて吸着剤に吸着された有機塩素化合物を溶離し、溶離液を留去することにより、高濃度の有機塩素化合物含有溶液を単離することができる。一方、有機塩素化合物を吸着した吸着剤は、溶離剤により処理されることにより再生される。
【００４３】
脱着された有機塩素化合物は、高濃度溶液として回収することができるので、後処理が容易である。後処理方法としては化学的分解方法等があり、その方法は特に限定されるものではないが、例えば、酸化分解、還元分解、紫外線照射やマイクロ波による分解、光触媒による分解等を挙げることができる。
【００４４】
次に、本発明の実施の形態を図を参照しながら具体的に説明するが、本発明は以下の実施例にのみ限定されるものではない。
【００４５】
（実施の形態１）
図２は、本発明によるＰＣＢの分離システムの一実施形態を示す図である。なお、図中点線で表した手段は任意であり、以下同様である。ＰＣＢ及びパラフィン油を含む排水を油水分離装置２に導入し、油水分離装置２で分離された水層を、中空糸膜モジュールを備えた浄水装置３に導入し、通過した水に含まれるＰＣＢ濃度を電気伝導度計又はＵＶ計４を用いて測定する。処理水が所定の基準値をクリアーする場合は下水道に放水し、クリアーできない場合は浄水装置３に返送し、再度浄水処理を施す。
【００４６】
一方、油層の油・エマルジョンは、吸着剤（ゼオライト）を用いてＰＣＢを吸着処理し、吸着されなかったパラフィン油を回収する。
【００４７】
排水受入口以降の装置、配管等がＰＣＢ等で汚染されているおそれがある場合は、回収パラフィン油等を用いて洗浄する。排水中にゴミ等の浮遊物が存在する場合は、プレフィルタにより除去する。
【００４８】
（実施の形態２）
図３は、本発明によるＰＣＢの分離システムの一実施形態を示す図である。ＰＣＢ及びパラフィン油を含む排水を浄水装置３に導入し、ＰＣＢを分離膜（Ｌｉ−Ａ型ゼオライト）にて分子篩効果により濾過した後、油水分離装置２で油層と水層を分離する。分離した水層に含まれるＰＣＢ濃度を電気伝導度計又はＵＶ計４を用いて測定する。処理水が所定の基準値をクリアーした場合は下水道に放水し、クリアーしていない場合は浄水装置３に返送し、再度浄水処理を施す。
【００４９】
一方、油層の油・エマルジョンは、中空糸膜モジュールを用いた濃縮手段５を施して、透過水は電気伝導度計又はＵＶ計４の前流側に合流させるとともに、未透過のパラフィン油を回収して油タンクに貯蔵する。
【００５０】
排水受入口以降の装置、配管等がＰＣＢ等で汚染されているおそれがある場合は、回収パラフィン油等を用いて洗浄する。排水中にゴミ等の浮遊物が存在する場合は、プレフィルタにより除去する。
【００５１】
（実施の形態３）
図４は、本発明によるＰＣＢの分離システムの一実施形態を示す図である。ＰＣＢ及びパラフィン油を含む排水を油水分離装置２に導入し、油水分離装置２で分離した水層を、中空糸膜モジュールを備えた浄水装置３に導入し、通過した水に含まれるＰＣＢ濃度を電気伝導度計又はＵＶ計４を用いて測定する。処理水が所定の基準値をクリアーする場合は下水道に放水し、クリアーできない場合は浄水装置３に返送し、再度浄水処理を施す。
【００５２】
一方、油層の油・エマルジョンは、水を除去した後に、ゼオライトを用いた吸着装置６でＰＣＢを吸着させ、吸着しないパラフィン油を回収して油タンクに貯蔵する。
【００５３】
水の除去方法として、中空糸膜モジュールを用いた濃縮装置５を通すこともでき、この場合、透過水は電気伝導度計又はＵＶ計４の前流側に合流させる。未透過のＰＣＢ及びパラフィン油は、吸着装置６によってＰＣＢを吸着除去した後、吸着しないパラフィン油を回収して油タンクに貯蔵する。
【００５４】
排水受入口以降の装置、配管等がＰＣＢ等で汚染されているおそれがある場合は、回収パラフィン油等を用いて洗浄する。排水中にゴミ等の浮遊物が存在する場合は、プレフィルタにより除去する。
【００５５】
【発明の効果】
以上説明した通り、本発明によれば、有機塩素化合物を含有する検体を減容化することができ、排水中に含まれる有機塩素化合物を迅速に分離、回収できるとともに、不要排水を迅速に処理することができる。
【図面の簡単な説明】
【図１】本発明による有機塩素化合物分離システムの概略を説明する図である。
【図２】本発明による有機塩素化合物分離システムの一実施形態を示す図である。
【図３】本発明による有機塩素化合物分離システムの一実施形態を示す図である。
【図４】本発明による有機塩素化合物分離システムの一実施形態を示す図である。
【符号の説明】
１  前処理装置（前処理手段）
２  分離装置（分離手段）
３  浄水装置（浄水手段）
４  検水装置（検水手段）
５  濃縮装置（濃縮手段）
６  吸着装置（吸着手段）
７  洗浄装置（洗浄手段）
１１、１５  ポンプ（返送手段）
１２、１３、１４  ポンプ（送液手段）
【図１】
2004321950.tif 000003
【図２】
2004321950.tif 000004
【図３】
2004321950.tif 000005
【図４】
2004321950.tif 000006